(57)【要約】【課題】装着及び取り外しの操作が容易で、被搬送体の滑り防止と汚れ防止とを可能にするとともに、洋服などを清掃するクリーニング用具としての使用を可能とする。【解決手段】ショルダーバッグ等の被搬送体に設けられた肩掛け等の持運び部材２に、保持部材１２，１２を介して着脱自在に装着される基板部材１１の一方側の面にクッション性滑り止め兼保護部材１１ａを設けるとともに、他方側の面にクリーニング性ブラシ体１１ｂを設けたことにより、被搬送体に設けられた持運び部材２の一部に対して保持部材１２，１２を介して任意に装着・分離され、その保持部材１２，１２を介して装着されたクッション性滑り止め兼保護部材１１ａによって被搬送体が人の肩や手などに安定的に維持されるとともに、手垢や汗染み等の汚れが防止され、かつ反転してクリーニング性ブラシ材１１ｂが外方に露出した状態で人の指等に装着すれば、洋服などの表面の埃や汚れを落とすことが可能となるように構成したものである。【選択図】図２
2012217555.tif 000002
【特許請求の範囲】
【請求項１】
被搬送体に設けられた持運び部材に対して着脱自在に装着される基板部材と、その基板部材の表裏両面のいずれか一方を選択的に被覆・開放するように移動する保持部材と、を備えたものであって、
前記基板部材には、当該基板部材の表裏両面における一方側の面にクッション性を有する滑り止め兼保護部材が設けられているとともに、他方側の面にクリーニング性を有するブラシ体が設けられ、
前記保持部材は、前記基板部材の対向する両側端縁に片持ち状をなすように取り付けられた一対の可撓性部材から形成され、それら一対の可撓性部材の自由端縁部同士が、所定の着脱部材を介して接合・分離可能となるように構成されていることを特徴とする搬送体補助取付け具。
【請求項２】
前記基板部材のブラシ体は、一方向に起毛処理が施された構成を有していることを特徴とする請求項１記載の搬送体補助取付け具。
【請求項３】
前記着脱部材は、貼着・分離自在の一対の帯状部材からなることを特徴とする請求項１記載の搬送体補助取付け具。
【発明の詳細な説明】
【技術分野】
【０００１】
本発明は、ショルダーバッグなどの被搬送体に設けられたベルト等の持運び部材に装着して滑り止め性とクッション性を得つつクリーニング用具や汚れ防止用具としても使用することができるようにした搬送体補助取付け具に関する。
【背景技術】
【０００２】
一般に、ショルダーバッグの肩ベルトなどの被搬送体の持運び部材における滑り止めを行うために、多数の突起を有するゴム板または凹凸を有して滑りにくい状態にした織物や、一方向の起毛処理が施された織物を有する滑り止め具を、被搬送体の持運び部材に設けることが行われている。
【０００３】
しかしながら、このような従来の滑り止め具は、被搬送体の持運び部材に対する取付け及び取外しの操作を容易に行うことが難しい上に、滑り止め以外の機能を有していないことから実用性が十分ではなく、実際に使用することがされないことも多い。
【先行技術文献】
【特許文献】
【０００４】
【特許文献１】特開２０００−１３９５４２号公報
【発明の開示】
【発明が解決しようとする課題】
【０００５】
そこで、本発明は、装着及び取り外しの操作が容易で、装着した際には被搬送体の持運び部材における滑り性の低減と汚れ防止とを可能にするとともに、取り外した際には洋服などを清掃するクリーニング用具としての使用を可能とした高機能な搬送体補助取付け具を提供することを目的とする。
【課題を解決するための手段】
【０００６】
上記目的を達成するため本発明では、被搬送体に設けられた持運び部材に対して着脱自在に装着される基板部材と、その基板部材の表裏両面のいずれか一方を選択的に被覆・開放するように移動する保持部材とを備えたものであって、前記基板部材には、当該基板部材の表裏両面における一方側の面にクッション性を有する滑り止め兼保護部材が設けられているとともに、他方側の面にクリーニング性を有するブラシ体が設けられ、前記保持部材は、前記基板部材の対向する両側端縁に片持ち状をなすように取り付けられた一対の可撓性部材から形成され、それら一対の可撓性部材の自由端縁部同士が、所定の着脱部材を介して接合・分離可能となるように構成されている。
【０００７】
このような構成からなる本発明によれば、ショルダーバッグ等の被搬送体に設けられた肩掛け等の持運び部材に対して、保持部材を介して基板部材が任意に装着され、その保持部材を介して装着された基板部材のクッション性滑り止め兼保護部材によって被搬送体が人の肩や手などに安定的に維持されるとともに、手で把持した場合の手垢や汗染み等の汚れが防止される。また、基板部材を反転してクリーニング性ブラシ材が外方に露出した状態で人の指等に基板部材を装着すれば、その基板部材のクリーニング性ブラシ材によって服などの表面に付着した誇りや汚れを落とすことが可能となる。
【発明の効果】
【０００８】
以上述べたように本発明にかかる搬送体補助取付け具は、ショルダーバッグ等の被搬送体に設けられた肩掛け等の持運び部材に、保持部材を介して着脱自在に装着される基板部材の一方側の面にクッション性滑り止め兼保護部材を設けるとともに、他方側の面にクリーニング性ブラシ体を設けたことによって、被搬送体に設けられた持運び部材の一部に対して保持部材を介して基板部材が任意に装着・分離され、その保持部材を介して装着された基板部材のクッション性滑り止め兼保護部材によって被搬送体が人の肩や手などに安定的に維持されるとともに、手で把持した場合の手垢や汗染み等の汚れが防止され、かつ基板部材を反転してクリーニング性ブラシ材が外方に露出した状態で人の指等に基板部材を装着すれば、その基板部材のクリーニング性ブラシ材によって洋服などの表面の埃や汚れ落としが可能となるように構成したものであるから、装着及び取り外しの操作が容易で、被搬送体の持運び部材における滑り性の低減と汚れ防止を可能とするにするとともに、洋服などを清掃するクリーニング用具としての使用が可能となり、高機能でかつ操作性に優れた搬送体補助取付け具を得ることができる。
【図面の簡単な説明】
【０００９】
【図１】本発明の第１の実施形態における搬送体補助取付け具の装着途中状態を表した外観斜視説明図である。
【図２】図１に表された搬送体補助取付け具の保持部材を開放した状態を表した平面説明図である。
【図３】図１及び図２に表された搬送体補助取付け具の保持部材を、クッション性滑り止め兼保護部材を外方に露出させる方向に折り曲げて重ね合わせた閉塞状態を表した平面説明図である。
【図４】図３の閉塞状態における搬送体補助取付け具の横断面説明図である。
【図５】基板部材を逆方向に反転されてブラシ材を外方に露出させた状態を表した図３相当の横断面説明図である。
【図６】本発明の第２の実施形態における搬送体補助取付け具を重ね合わせた閉塞状態を表した平面説明図である。
【発明を実施するための形態】
【００１０】
以下、本発明の実施の形態を図面に基づいて詳細に説明する。
【００１１】
図１に示されている第１の実施形態における搬送体補助取付け具１は、ショルダーバッグ等の被搬送体に、持運び部材として設けられた肩ベルト２の途中部分に着脱されるものであって、その持運び部材としての肩ベルト２に対して着脱自在に装着される基板部材１１には、当該基板部材１１の表裏両面のいずれか一方を選択的に被覆・開放可能とする一対の保持部材１２，１２が設けられている。
【００１２】
上述した基板部材１１は、肩ベルト２に沿って所定の長さにわたって延在する平面略長方形状の部材からなり、当該基板部材１１の表裏両面における一方側の面には、ゴム材やスポンジ等の発泡材などからなるクッション性を有する滑り止め兼保護部材１１ａが設けられているとともに、他方側の面には、一方向に起毛処理が施された、例えばエチケットブラシ（登録商標）などからなる清掃機能を有するクリーニング性を備えたブラシ体１１ｂが設けられている。
【００１３】
また、保持部材１２は、上述した基板部材１１に取り付けられた一対の可撓性部材から形成されている。それら一対の保持部材１２，１２は、上述した基板部材１１の対向する両側端縁に片持ち状をなすように取り付けられており、それら一対の可撓性部材からなる保持部材１２，１２の自由端縁部同士が、上下に重なり合う位置関係となるように配置されている。
【００１４】
これらの各保持部材１２における重なり合い部分には、貼着・分離自在の一対の帯状部材、例えばマジックテープ（登録商標）等からなる着脱テープ１２ａがほぼ全面にわたって延在するように取り付けられており、一対の保持部材１２，１２における重なり合い部分が、当該着脱テープ１２ａを介して接合・分離可能となるように構成されている。このときの着脱テープ１２ａは、保持部材１２の表裏両面に設けられている。
【００１５】
このような構成からなる本実施形態によれば、まず図２に示されているように一対の保持部材１２，１２が開放状態になされ、その保持部材１２，１２が開放状態になされた搬送体補助取付け具１が、ショルダーバッグ等の被搬送体に持運び部材として設けられた肩ベルト２の途中部分に位置合わせされてセットされる。
【００１６】
次いで、クッション性を有する滑り止め兼保護部材１１ａを外方に露出させる方向に一対の保持部材１２，１２を折り曲げるようにして自由端縁部分同士を近接させ、図３及び図４に示されているように、それら一対の保持部材１２，１２同士で肩ベルト２を覆うように閉塞状態として重ね合わせる。そして、それら一対の保持部材１２，１２の自由端縁部分同士が、着脱テープ１２ａを介して接合状態にされる。このようにして基板部材１１を含む搬送体補助取付け具１が、保持部材１２，１２を介して肩ベルト２に装着される。そして、その保持部材１２，１２を介して装着された基板部材１１のクッション性滑り止め兼保護部材１１ａが、人の肩に載せられたり、人の手により把持される。その結果、ショルダーバッグ等の被搬送体の全体が、人の肩や手に滑り止めされた状態で安定的かつ弾性的に緩衝された状態に維持されるとともに、特に手で把持した場合の手垢や汗染み等の汚れが、肩ベルト２に対して直接付着されることが防止される。
【００１７】
また、図５に示されているように、基板部材１１を反転してクリーニング性を有するブラシ材１１ｂが外方に露出した状態とし、人の指等に対して基板部材１１を装着すれば、その基板部材１１のクリーニング性ブラシ材１１ｂを洋服などの表面上に接触させた状態で往復移動させることによって、洋服等に付着している埃や汚れを落とすことが可能となる。
【００１８】
一方、上述した第１の実施形態と同一の構成部材に対して同一の符号を付した図６にかかる第２の実施形態においては、一対の保持部材１２，１２同士を接合・分離する着脱部材としてスナップボタン１２ｂが採用されている。このような実施形態においても、上述した第１の実施形態と同様な作用・効果が得られる。
【００１９】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００２０】
例えば、上述した実施形態では、被搬送体としてショルダーバッグを例にして説明したが、手持ちバッグや、その他、人の手で把持して持ち運ぶ被搬送体に対しても同様に適用することもできる。
【産業上の利用可能性】
【００２１】
本発明にかかる搬送体補助取付け具は、多種多様な被搬送体に関して広く適用することが可能である。
【符号の説明】
【００２２】
１  搬送体補助取付け具１
２  肩ベルト（持運び部材）
１１  基板部材
１２  保持部材
１１ａ  クッション性滑り止め兼保護部材
１１ｂ  ブラシ体
１２ａ  着脱テープ（着脱部材）
１２ｂ  スナップボタン（着脱部材）
【図１】
2012217555.tif 000003
【図２】
2012217555.tif 000004
【図３】
2012217555.tif 000005
【図４】
2012217555.tif 000006
【図５】
2012217555.tif 000007
【図６】
2012217555.tif 000008